(57)【要約】【課題】原稿に付された付箋の一部を欠落させることなく画像として出力する。【解決手段】取得部１１は、画像読取部１０３から、付箋が付された原稿が分割されて読み取られた複数の画像データ（分割画像データという）を取得する。特定部１２は、取得された複数の分割画像データを合成した原稿全体の画像データ（全体画像データという）において、付箋の位置を特定する。生成部１３は、全体画像データにおいて特定された付箋の位置に応じて付箋画像データを配置した画像データ（出力画像データという）を生成する。原稿において２つの付箋Ｎ１，Ｎ２が貼付されている場合に、媒体の表面には、原稿画像データに応じた原稿画像が形成され、媒体の裏面には、付箋の位置のちょうど裏に相当する位置に付箋画像データＮＤ１，ＮＤ２に応じた付箋画像が形成される。【選択図】図３
2020048146.tif 000002
【特許請求の範囲】
【請求項１】
付箋が付された原稿が分割されて読み取られた複数の画像データを取得する取得手段と、
取得された複数の前記画像データを合成した原稿全体の画像データにおいて、付箋の位置を特定する特定手段と、
前記原稿全体の画像データにおいて特定された前記位置に応じて付箋画像データを配置した出力画像データを生成する生成手段と
を有することを特徴とする画像処理装置。
【請求項２】
前記生成手段は、
前記原稿全体の画像データにおいて、特定された前記付箋の位置の裏に相当する位置に前記付箋画像データを配置した出力画像データを生成する
ことを特徴とする請求項１記載の画像処理装置。
【請求項３】
前記生成手段は、
媒体綴じ位置が所定の位置にある場合には、特定した前記付箋の位置の裏に相当する位置及び媒体綴じ位置に対して所定の関係にある位置に付箋画像データを配置した出力画像データを生成する
ことを特徴とする請求項２記載の画像処理装置。
【請求項４】
前記生成手段は、
複数の付箋について特定した前記位置が１の座標軸上で重なる位置となる場合には、媒体綴じ位置に対して所定の関係にある位置であって、当該付箋の位置の裏に相当する位置に複数の付箋画像データを並べて配置した出力画像データを生成する
ことを特徴とする請求項３記載の画像処理装置。
【請求項５】
前記生成手段は、
１の媒体に複数の原稿を並べて出力する場合には、当該媒体を折り返したときに、当該媒体の表面に出力された原稿全体における付箋の位置と、当該媒体の裏面に出力された付箋画像の位置とが対応するように、前記付箋画像データを配置した出力画像データを生成する
ことを特徴とする請求項１記載の画像処理装置。
【請求項６】
前記生成手段は、
１の媒体に複数の原稿を並べて出力する場合において、媒体綴じ位置が所定の位置にあるときには、当該媒体綴じ位置を基準とした位置に付箋画像データを配置した出力画像データを生成する
ことを特徴とする請求項１記載の画像処理装置。
【請求項７】
前記生成手段は、
前記媒体の表面に出力された原稿全体における付箋の位置と、当該媒体の裏面に出力された付箋画像の位置とに共通の識別画像を配置した出力画像データを生成する
ことを特徴とする請求項５又は６記載の画像処理装置。
【請求項８】
前記生成手段は、
原稿読み取り時における原稿の大きさを変えずに出力画像データを生成する
ことを特徴とする請求項１記載の画像処理装置。
【請求項９】
前記生成手段は、
原稿読み取り時における付箋の大きさを変えずに出力画像データを生成する
ことを特徴とする請求項８記載の画像処理装置。
【請求項１０】
請求項１〜９のいずれか１項に記載の画像処理装置と、
前記画像処理装置によって生成された画像データに応じた画像を生成する画像形成手段と
を備えることを特徴とする画像形成装置。
【請求項１１】
付箋が付された原稿が分割されて読み取られた複数の画像データを取得する取得ステップと、
取得された複数の前記画像データを合成した原稿全体の画像データにおいて、付箋の位置を特定する特定ステップと、
前記原稿全体の画像データにおいて特定された前記位置に応じて付箋画像データを配置した出力画像データを生成する生成ステップと
を備えることを特徴とする画像処理方法。
【請求項１２】
コンピュータを、
付箋が付された原稿が分割されて読み取られた複数の画像データを取得する取得手段と、
取得された複数の前記画像データを合成した原稿全体の画像データにおいて、付箋の位置を特定する特定手段と、
前記原稿全体の画像データにおいて特定された前記位置に応じて付箋画像データを配置した出力画像データを生成する生成手段と
して機能させるためのプログラム。
【発明の詳細な説明】
【技術分野】
【０００１】
本発明は、画像処理装置、画像形成装置、画像処理方法及びプログラムに関する。
【背景技術】
【０００２】
読み取り対象となる原稿に対して、付箋と呼ばれる貼付物が貼られていることがある。特許文献１では、原稿からはみ出るように貼付されている付箋を読み取る仕組みが開示されている。
【先行技術文献】
【特許文献】
【０００３】
【特許文献１】特開２０１１−１９９３９７号公報
【発明の概要】
【発明が解決しようとする課題】
【０００４】
本発明は、原稿に付された付箋の一部を欠落させることなく画像として出力することを目的とする。
【課題を解決するための手段】
【０００５】
請求項１に係る画像処理装置は、付箋が付された原稿が分割されて読み取られた複数の画像データを取得する取得手段と、取得された複数の前記画像データを合成した原稿全体の画像データにおいて、付箋の位置を特定する特定手段と、前記原稿全体の画像データにおいて特定された前記位置に応じて前記付箋画像データを配置した出力画像データを生成する生成手段とを有することを特徴とする。
【０００６】
請求項２に係る画像処理装置は、請求項１記載の構成において、前記生成手段は、前記原稿全体の画像データにおいて、特定された前記付箋の位置の裏に相当する位置に前記付箋画像データを配置した出力画像データを生成する。
【０００７】
請求項３に係る画像処理装置は、請求項２記載の構成において、前記生成手段は、媒体綴じ位置が所定の位置にある場合には、特定した前記付箋の位置の裏に相当する位置及び媒体綴じ位置に対して所定の関係にある位置に付箋画像データを配置した出力画像データを生成する。
【０００８】
請求項４に係る画像処理装置は、請求項３記載の構成において、前記生成手段は、複数の付箋について特定した前記位置が１の座標軸上で重なる位置となる場合には、媒体綴じ位置に対して所定の関係にある位置であって、当該付箋の位置の裏に相当する位置に複数の付箋画像データを並べて配置した出力画像データを生成する。
【０００９】
請求項５に係る画像処理装置は、請求項１記載の構成において、前記生成手段は、１の媒体に複数の原稿を並べて出力する場合には、当該媒体を折り返したときに、当該媒体の表面に出力された原稿全体における付箋の位置と、当該媒体の裏面に出力された付箋画像の位置とが対応するように、前記付箋画像データを配置した出力画像データを生成する。
【００１０】
請求項６に係る画像処理装置は、請求項１記載の構成において、前記生成手段は、１の媒体に複数の原稿を並べて出力する場合において、媒体綴じ位置が所定の位置にあるときには、当該媒体綴じ位置を基準とした位置に付箋画像データを配置した出力画像データを生成する。
【００１１】
請求項７に係る画像処理装置は、請求項５又は６記載の構成において、前記生成手段は、前記媒体の表面に出力された原稿全体における付箋の位置と、当該媒体の裏面に出力された付箋画像の位置とに共通の識別画像を配置した出力画像データを生成する。
【００１２】
請求項８に係る画像処理装置は、請求項１記載の構成において、前記生成手段は、原稿読み取り時における原稿の大きさを変えずに出力画像データを生成する。
【００１３】
請求項９に係る画像処理装置は、請求項８記載の構成において、前記生成手段は、原稿読み取り時における付箋の大きさを変えずに出力画像データを生成する。
【００１４】
請求項１０に係る画像形成装置は、請求項１〜９のいずれか１項に記載の画像処理装置と、前記画像処理装置によって生成された画像データに応じた画像を生成する画像形成手段とを備えることを特徴とする。
【００１５】
請求項１１に係る画像処理方法は、付箋が付された原稿が分割されて読み取られた複数の画像データを取得する取得ステップと、取得された複数の前記画像データを合成した原稿全体の画像データにおいて、付箋の位置を特定する特定ステップと、前記原稿全体の画像データにおいて特定された前記位置に応じて前記付箋画像データを配置した出力画像データを生成する生成ステップとを備えることを特徴とする。
【００１６】
請求項１２に係るプログラムは、コンピュータを、付箋が付された原稿が分割されて読み取られた複数の画像データを取得する取得手段と、取得された複数の前記画像データを合成した原稿全体の画像データにおいて、付箋の位置を特定する特定手段と、前記原稿全体の画像データにおいて特定された前記位置に応じて前記付箋画像データを配置した出力画像データを生成する生成手段とをして機能させるためのプログラムである。
【発明の効果】
【００１７】
請求項１，１０、１１，１２に記載の発明によれば、原稿に付された付箋の一部を欠落させることなく画像として出力する。
請求項２に記載の発明によれば、１の媒体に原稿及び付箋を出力する。
請求項３に記載の発明によれば、媒体を綴じて重なる位置と付箋画像とが重複しにくくなる。
請求項４に記載の発明によれば、付箋画像が重なることを避けられる。
請求項５に記載の発明によれば、原稿における付箋の位置と付箋画像との対応関係が分かりやすくなる。
請求項６に記載の発明によれば、媒体を綴じて重なる位置と付箋画像とが重複しにくくなる。
請求項７に記載の発明によれば、原稿における付箋の位置と付箋画像との対応関係が分かりやすくなる。
請求項８に記載の発明によれば、原稿読み取り時に比べて原稿出力時に原稿が小さくならない。
請求項９に記載の発明によれば、原稿読み取り時に比べて原稿出力時に付箋が小さくならない。
【図面の簡単な説明】
【００１８】
【図１】本発明の画像形成装置のハードウェア構成を示すブロック図である。
【図２】画像形成装置の機能構成を示すブロック図である。
【図３】画像形成装置の基本動作を示すフローチャートである。
【図４】画像形成装置の出力画像データ生成動作の詳細を示すフローチャートである。
【図５】画像形成装置の出力画像データ生成動作の詳細を示すフローチャートである。
【図６】原稿及び付箋の位置関係と、配置態様１における原稿画像及び付箋画像の位置関係を示す図である。
【図７】原稿及び付箋の位置関係と、配置態様１における原稿画像及び付箋画像の位置関係を示す図である。
【図８】原稿及び付箋の位置関係と、配置態様２における原稿画像及び付箋画像の位置関係を示す図である。
【図９】原稿及び付箋の位置関係と、配置態様３における原稿画像及び付箋画像の位置関係を示す図である。
【図１０】原稿及び付箋の位置関係と、配置態様４における原稿画像及び付箋画像の位置関係を示す図である。
【図１１】原稿及び付箋の位置関係と、配置態様４における原稿画像及び付箋画像の位置関係を示す図である。
【図１２】原稿及び付箋の位置関係と、配置態様４における原稿画像及び付箋画像の位置関係を示す図である。
【図１３】原稿及び付箋の位置関係と、配置態様５における原稿画像及び付箋画像の位置関係を示す図である。
【図１４】原稿及び付箋の位置関係と、配置態様５における原稿画像及び付箋画像の位置関係を示す図である。
【図１５】原稿及び付箋の位置関係と、配置態様６における原稿画像及び付箋画像の位置関係を示す図である。
【発明を実施するための形態】
【００１９】
＜構成＞
以下、本発明の実施形態について説明する。図１は、本発明の画像形成装置のハードウェア構成を示すブロック図である。画像形成装置１０は、制御部１０１と、記憶部１０２と、画像読取部１０３と、画像処理部１０４と、画像形成部１０５と、通信部１０６と、操作部１０７とを備えている。制御部１０１は、ＣＰＵ（Central Processing Unit）などの演算処理装置と、ＲＯＭ（Read Only Memory）及びＲＡＭ（Random Access Memory）などの記憶装置とを備えている。ＲＯＭには、ＣＰＵによって実行されるプログラムが記憶されている。ＣＰＵは、ＲＡＭをワークエリアとして用いてＲＯＭや記憶部１０２に記憶されたプログラムを実行することによって、画像形成装置１０の各部の動作を制御する。記憶部１０２は、例えばハードディスクなどの記憶手段であり、制御部１０１が用いるデータ群やプログラム群を記憶している。
【００２０】
画像読取部１０３は、例えば白色光の光源及びカラーセンサから構成されており、光源から白色光を原稿に照射し、原稿からの反射光をカラーセンサで受光し、受光した反射光を電気信号に光電変換することで、ＲＧＢの各成分からなる画像データを出力する画像読取動作を行う。画像読取部１０３は、付箋が付された原稿を読み取る場合には、その原稿及び付箋の全領域を分割して読み取る。このような読み取りを、以下では、付箋モードという。記憶部１０２は、画像読取部１０３により読み取られた画像を示す画像データを記憶する。
【００２１】
画像処理部１０４は、本発明の画像処理装置の一例である。画像処理部１０４は、付箋モードにおいて画像読取部１０３によって読み取られた結果に応じて、原稿と付箋とを画像として出力するための画像データを生成する。
【００２２】
画像形成部１０５は、電子写真方式に従い、画像データに応じた画像を媒体に形成する。通信部１０６は通信回路を備えており、ネットワーク２を介してデータ通信を行う。操作部１０７はキーやタッチスクリーンからなり、ユーザの操作を受け付ける。
【００２３】
図２は、画像形成装置１０の機能構成を示すブロック図である。画像形成装置１０において、制御部１０１が記憶部１０２等に記憶されているプログラムを実行することにより、図２に示す各機能が実現される。取得部１１は、画像読取部１０３から、付箋が付された原稿が分割されて読み取られた複数の画像データ（分割画像データという）を取得する。
【００２４】
特定部１２は、取得された複数の分割画像データを合成した原稿全体の画像データ（全体画像データという）において、付箋の位置を特定する。
【００２５】
生成部１３は、全体画像データにおいて特定された付箋の位置に応じて付箋画像データを配置した画像データ（出力画像データという）を生成する。このとき、生成部１３は、原稿読み取り時における原稿及び付箋の大きさを変えずに、出力画像データを生成する。例えば原稿がＡ４サイズの媒体に形成されており、その媒体から一部がはみ出るように貼付された付箋に対し、出力画像データはＡ４サイズの媒体の表面に読み取り時と同じ大きさの原稿を出力し、その裏面に読み取り時と同じ大きさの付箋を出力するものである。付箋画像データの配置態様には複数とおりのものがあるが、詳しくは後述する。
【００２６】
出力部１４は、生成された出力画像データを、例えば画像形成部１０５に出力したり、通信部１０６経由で外部装置に出力したりする。
【００２７】
＜動作＞
図３は画像形成装置１０の基本動作を示すフローチャートである。画像読取部１０３は複数回に分けて読み取りを行うことにより、原稿及び付箋の全体を読み取り、部分画像データを出力する。一般に、画像読取装置は原稿に相当する矩形領域（出力する画像全体の領域の同じ大きさの領域）しか読み取りを行わない。これに対し、画像読取部１０３は複数回に分けて読み取りを行い、原稿及びその原稿からはみ出るように貼付された付箋の全体を欠落することなく読み取る。またこのとき、例えば原稿の左右にそれぞれ、原稿からはみ出るように付箋が貼付されている場合であっても、画像読取部１０３は複数回に分けて原稿及び付箋の全体を読み取る。同様に、例えば原稿の上下にそれぞれ、原稿からはみ出るように付箋が貼付されている場合であっても、画像読取部１０３は複数回に分けて原稿及び付箋の全体を読み取る。取得部１１は、画像読取部１０３から複数の部分画像データを取得する（ステップＳ１１）。
【００２８】
特定部１２は、例えば部分画像データ間で画像の照合を行って各部分画像データの位置調整を行うことで、これら部分画像データを合成して、原稿及び付箋の全体を示す全体画像データを生成する（ステップＳ１２）。
【００２９】
次に、特定部１２は、全体画像データにおいて付箋の位置を特定する（ステップＳ１３）。具体的には、特定部１２は、全体画像データにおいてエッジ検出を行って矩形形状の画像群を抽出し、さらにその矩形形状の画像群のうち、最も大きい矩形である原稿から、その外部にはみ出ている矩形画像を付箋に相当する付箋画像データであると判断し、その座標位置を特定する。また、特定部１２は、予め想定し得る付箋のサイズや色又は形状を含むデータベースを保持しておき、パターンマッチングなどを行って付箋画像データであるか否かを判断し、その座標位置を特定する。
【００３０】
次に、生成部１３は、全体画像データにおいて特定された付箋の位置に応じて付箋画像データを配置した出力画像データを生成する（ステップＳ１４）。このとき、生成部１３は、付箋画像データとその座標位置とに応じて、読み取り時の原稿と同じ大きさ（縮尺）で付箋画像データを生成するとともに、全体画像データと付箋画像データの座標位置とに応じて、付箋を除外した原稿のみを示す原稿画像データを生成する。この付箋画像データ及び原稿画像データのセットが、出力画像データに相当する。このときの、出力画像データにおける付箋画像データの配置態様については、図４以降において説明する。
【００３１】
出力部１４は、生成された出力画像データを、例えば画像形成部１０５に出力したり、通信部１０６経由で外部装置に出力したりする。画像形成部１０５は、出力画像データに応じた画像を紙等の媒体に形成する。
【００３２】
図４は画像形成装置１０の出力画像データ生成動作（ステップＳ１４）の詳細を示すフローチャートである。図４において、生成部１３は、ユーザにより指定された画像形成処理が複数（ここでは２とする）の原稿を１の媒体に形成する２ｕｐ処理であるか否かを判断する（ステップＳ１４１）。
【００３３】
２ｕｐ処理でない場合（ステップＳ１４１；Ｎｏ）、生成部１３は、ユーザにより指定された画像形成処理においてパンチ処理があるか否かを判断する（ステップＳ１４２）。パンチ処理とは、複数の媒体を綴じるために当該媒体に１以上の穴を開けることである。
【００３４】
パンチ処理がない場合（ステップＳ１４２；Ｎｏ）、生成部１３は、ユーザにより指定された画像形成処理においてステープラ処理があるか否かを判断する（ステップＳ１４３）。ステープラ処理とは、複数の媒体をステープラによって綴じる処理である。パンチ処理もステープラ処理も、複数の媒体を綴じるための処理であるが、パンチ処理が媒体の左端部、右端部、上端部又は下端部の中央付近になされることが多いのに対し、ステープラ処理は媒体の左端部、右端部、上端部又は下端部の中央付近に加え、媒体の隅（左上隅、左下隅、右上隅又は右下隅）になされることもある。
【００３５】
ステープラ処理がない場合（ステップＳ１４３；Ｎｏ）、生成部１３は、配置態様１にて原稿画像データに対して付箋画像データを配置した出力画像データを生成する（ステップＳ１４４）。ここで、図６は配置態様１を説明する図である。原稿において２つの付箋Ｎ１，Ｎ２が貼付されている場合に、媒体の表面には、原稿画像データに応じた原稿画像が形成され、媒体の裏面には、原稿上の付箋の位置のちょうど裏に相当する位置に付箋画像データＮＤ１，ＮＤ２に応じた付箋画像が形成される。また、生成部１３は、媒体表面に原稿画像データにおいて、原稿に付箋が貼付されていた位置に、例えばその付箋の形状の一部を模した矩形の破線画像を配置する。
【００３６】
なお、付箋Ｎ１には付箋画像データＮＤ１が対応しており、付箋画像データＮＤ１は付箋Ｎ１の画像を表している（以下の説明において同じ）。また、付箋Ｎ２には付箋画像データＮＤ２が対応しており、付箋画像データＮＤ２は付箋Ｎ２の画像を表している（以下の説明において同じ）。このように、生成部１３は、原稿画像データにおいて、付箋の位置の裏に相当する位置に付箋画像データを配置した出力画像データを生成する。
【００３７】
ステップＳ１４２において、パンチ処理がある場合（ステップＳ１４２；Ｙｅｓ）、又はステップＳ１４３において、ステープラ処理がある場合（ステップＳ１４３；Ｙｅｓ）、生成部１３は、媒体においてパンチ処理又はステープラ処理がなされる位置を判断する（ステップＳ１４６）。
【００３８】
パンチ処理又はステープラ処理の位置が媒体の隅（つまり右上隅、右下隅、左上隅又は左下隅）であれば（ステップＳ１４６；右上／下、左上／下）、生成部１３は、前述した配置態様１にて原稿画像データに対して付箋画像データを配置した出力画像データを生成する（ステップＳ１４４）。例えば図７において、ステープラ処理の位置が位置Ｓである場合は、生成部１３は、原稿画像データにおいて付箋Ｎ１，Ｎ２の位置の裏に相当する位置に付箋画像データＮＤ１，ＮＤ２を配置した出力画像データを生成する。付箋の位置とステープラ処理の位置とが重なる可能性が低いからである。
【００３９】
ステップＳ１４６において、パンチ処理又はステープラ処理がなされる位置が媒体の隅（つまり右上隅、右下隅、左上隅又は左下隅）以外、例えば媒体の左、右、上又は下の端部の中央付近であれば（ステップＳ１４６；それ以外）、生成部１３は、原稿における付箋の位置を判断する（ステップＳ１４７）。
【００４０】
複数の付箋の位置が原稿上の１の座標軸上（左右方向に延びるＸ座標軸又は上下方向に延びるＹ座標軸）において同一でない、つまり複数の付箋が同一座標軸上で重ならない場合には（ステップＳ１４７；同一でない）、生成部１３は、配置態様２にて原稿画像データに対して付箋画像データを配置した出力画像データを生成する（ステップＳ１４８）。
【００４１】
例えば図８において、パンチ処理の位置が位置Ｐであって、付箋の位置が上下に延びるＹ座標軸で重ならない場合は、生成部１３は、原稿画像データにおいて、付箋Ｎ１，Ｎ２の位置の裏に相当する位置であって、且つ、パンチ処理の位置が近い媒体端部とは逆方向の媒体端部の位置に、付箋画像データＮＤ１，ＮＤ２を配置した出力画像データを生成する。図８の例では、付箋Ｎ２については、付箋Ｎ２の位置の裏に相当する位置に、付箋画像データＮＤ２が配置されている。これに対し、付箋Ｎ１については、付箋Ｎ１の位置の裏に相当する位置と同じＹ座標軸上の位置であって、パンチ処理の媒体端部（表面から見たときの媒体左端部）とは逆方向の媒体端部（表面から見たときの媒体右端部）の位置に付箋画像データＮＤ１が配置されている。付箋の位置と複数の媒体が綴じられるラインが重なるからである。つまり、生成部１３は、用紙綴じ位置が所定の位置にあって、複数の付箋の位置が１の座標軸上の位置で重ならない場合には、当該付箋の位置の裏に相当する位置及び媒体綴じ位置に対して所定の関係にある位置に付箋画像データを配置した出力画像データを生成する。
【００４２】
ステップＳ１４７において、複数の付箋の位置が原稿上の１の座標軸上（左右方向に延びるＸ座標軸又は上下方向に延びるＹ座標軸）において同一である、つまり複数の付箋が同一座標軸上で重なる場合には（ステップＳ１４７；同一）、生成部１３は、配置態様３にて原稿画像データに対して付箋画像データを配置した出力画像データを生成する（ステップＳ１４９）。例えば図９において、パンチ処理の位置が位置Ｐであって、付箋Ｎ１，Ｎ２の位置が上下に延びるＹ座標軸で重なる場合は、生成部１３は、原稿画像データにおいて、付箋Ｎ１，Ｎ２の位置の裏に相当する位置であって、且つ、パンチ処理の位置が近い媒体端部（表面から見たときの媒体右端部）とは逆方向の媒体端部（表面から見たときの媒体右端部）の位置に、付箋画像データＮＤ１，ＮＤ２を並べて配置した出力画像データを生成する。１の座標軸上で同じ位置に複数の付箋がある場合は、これらの付箋画像の位置が重なってしまうからである。つまり、生成部１３は、媒体綴じ位置が所定の位置にあって、複数の付箋の位置が１の座標軸上の位置で重なる場合には、媒体綴じ位置に対して所定の関係にある位置であって、当該付箋の位置の裏に相当する位置に複数の付箋画像データを並べて配置した出力画像データを生成する。
【００４３】
図５は、図４のステップＳ１４５の処理の詳細な内容を示すフローチャートである。図５において、生成部１３はパンチ処理があるか否かを判断する（ステップＳ１４５１）。
【００４４】
パンチ処理がない場合（ステップＳ１４５１；Ｎｏ）、生成部１３はステープラ処理があるか否かを判断する（ステップＳ１４５２）。
【００４５】
ステープラ処理がない場合（ステップＳ１４５２；Ｎｏ）、生成部１３は、配置態様４にて原稿画像データに対して付箋画像データを配置した出力画像データを生成する（ステップＳ１４５３）。
【００４６】
ここで、図１０〜１２は配置態様４を説明する図である。生成部１３は、１の媒体に複数の原稿を並べて出力する場合には、当該媒体をラインＬ１，Ｌ２で折り返したときに、媒体の表面に出力された原稿全体において貼付されていた付箋の位置と、当該媒体の裏面に形成された付箋画像の位置とが対応するように、原稿画像データに付箋画像データを配置した出力画像データを生成する。このように、いわゆる２ｕｐ処理の場合は、１の原稿に対する付箋に対応する付箋画像を媒体の裏面の一方の端部に出力することで、媒体を所定の折り方で折り返したときに付箋の位置とその付箋の内容とを参照しやすくする。
【００４７】
ステップＳ１４５１においてパンチ処理がある場合（ステップＳ１４５１；Ｙｅｓ）又はステップＳ１４５２においてステープラ処理がある場合（ステップＳ１４５２；Ｙｅｓ）、図１０〜１２で説明したように媒体を折り返して付箋の位置と付箋画像との対応関係を特定することが困難である。この場合、生成部１３は、原稿においてそのパンチ処理又はステープラ処理がなされる位置を判断する（ステップＳ１４５４）。
【００４８】
パンチ処理又はステープラ処理の位置が原稿の上下以外であれば（ステップＳ１４５４；上下以外）、生成部１３は、配置態様５にて原稿画像データに対して付箋画像データを配置した出力画像データを生成する（ステップＳ１４５５）。例えば図１３において、パンチ処理の位置が原稿の左端部の位置Ｐにある場合、生成部１３は、原稿画像データにおいて、パンチ処理の位置とは逆方向の媒体端部（この場合は媒体の表面からみて右端部の裏面）に付箋画像データを配置した出力画像データを生成する。つまり、生成部１３は、１の媒体に複数の原稿を並べて出力する場合において、媒体綴じ位置が所定の位置にあるときには、当該媒体綴じ位置を基準とした位置に付箋画像データを配置した出力画像データを生成する。さらに、この場合、生成部１３は、媒体の表面に出力された原稿全体における付箋の位置と、当該媒体の裏面に出力された付箋画像の位置とに共通の識別画像（例えば「＃１」、「＃２」、「＃３」、「＃４」という文字列）を配置した出力画像データを生成する。これにより、付箋Ｎ１には付箋画像データＮＤ１が対応しており、付箋Ｎ２には付箋画像データＮＤ２が対応しており、付箋Ｎ３には付箋画像データＮＤ３が対応しており、付箋Ｎ４には付箋画像データＮＤ４が対応していることが分かりやすくなる。
【００４９】
また、例えば図１４において、ステープラ処理の位置が原稿の左上の位置Ｓにある場合、生成部１３は、原稿画像データにおいて、ステープラ処理の位置とは逆方向の媒体端部（この場合は媒体の表面からみて右端部の裏面）に付箋画像データを配置した出力画像データを生成する。つまり、生成部１３は、１の媒体に複数の原稿を並べて出力する場合において、媒体綴じ位置が所定の位置にあるときには、当該媒体綴じ位置を基準とした位置に付箋画像データを配置した出力画像データを生成する。さらに、この場合、生成部１３は、媒体の表面に出力された原稿全体における付箋の位置と、当該媒体の裏面に出力された付箋画像の位置とに共通の識別画像（例えば「＃１」、「＃２」、「＃３」、「＃４」という文字列）を配置した出力画像データを生成する。これにより、付箋Ｎ１には付箋画像データＮＤ１が対応しており、付箋Ｎ２には付箋画像データＮＤ２が対応しており、付箋Ｎ３には付箋画像データＮＤ３が対応しており、付箋Ｎ４には付箋画像データＮＤ４が対応していることが分かりやすくなる。
【００５０】
ステップＳ１４５４において、パンチ処理又はステープラの位置が原稿の上下であれば（ステップＳ１４５４；上下）、生成部１３は、配置態様６にて原稿画像データに対して付箋画像データを配置した出力画像データを生成する（ステップＳ１４５６）。例えば図１５において、パンチ処理の位置が原稿上端の位置Ｐである場合は、生成部１３は、原稿画像データにおいて、パンチ処理の位置とは逆方向の媒体端部（ここでは表面から見て媒体下端部）に付箋画像データを配置した出力画像データを生成する。さらに、生成部１３は、媒体の表面に出力された原稿全体における付箋の位置と、当該媒体の裏面に出力された付箋画像の位置とに共通の識別画像（例えば「＃１」、「＃２」、「＃３」、「＃４」という文字列）を配置した出力画像データを生成する。これにより、付箋Ｎ１には付箋画像データＮＤ１が対応しており、付箋Ｎ２には付箋画像データＮＤ２が対応しており、付箋Ｎ３には付箋画像データＮＤ３が対応しており、付箋Ｎ４には付箋画像データＮＤ４が対応していることが分かりやすくなる。
【００５１】
以上の実施形態によれば、原稿に付された付箋の一部を欠落させることなく画像として出力される。また、原稿読み取り時における原稿及び付箋の大きさを変えずに原稿画像及び付箋画像が出力される。
【００５２】
なお、本発明は、コンピュータを画像処理装置又は画像形成装置として機能させるためのプログラムや、係るプログラムを記録した記録媒体の形態でも提供され得る。また、本発明に係るプログラムは、インターネット等のネットワークを介してコンピュータにダウンロードされてもよい。
また、本発明に係る画像処理装置はＰＣ２０に内蔵されたものであってもよい。
【符号の説明】
【００５３】
１０・・・画像形成装置、１０１・・・制御部、１０２・・・記憶部、１０３・・・画像読取部、１０４・・・画像処理部、１０５・・・画像形成部、１０６・・・通信部、１０７・・・操作部、１１・・・取得部、１２・・・特定部、１３・・・生成部、１４・・・出力部、Ｎ１，Ｎ２，Ｎ３，Ｎ４・・・付箋、ＮＤ１，ＮＤ２，ＮＤ３，ＮＤ４・・・付箋画像データ、Ｐ，Ｓ・・・位置。
【図１】
2020048146.tif 000003
【図２】
2020048146.tif 000004
【図３】
2020048146.tif 000005
【図４】
2020048146.tif 000006
【図５】
2020048146.tif 000007
【図６】
2020048146.tif 000008
【図７】
2020048146.tif 000009
【図８】
2020048146.tif 000010
【図９】
2020048146.tif 000011
【図１０】
2020048146.tif 000012
【図１１】
2020048146.tif 000013
【図１２】
2020048146.tif 000014
【図１３】
2020048146.tif 000015
【図１４】
2020048146.tif 000016
【図１５】
2020048146.tif 000017